【手続補正書】
【提出日】平成19年12月27日(2007.12.27)
【手続補正１】
【補正対象書類名】明細書
【補正対象項目名】発明の名称
【補正方法】変更
【補正の内容】
【発明の名称】画像処理装置、画像処理方法、及び記憶媒体
【手続補正２】
【補正対象書類名】明細書
【補正対象項目名】特許請求の範囲
【補正方法】変更
【補正の内容】
【特許請求の範囲】
【請求項１】  動画を再生処理する画像処理装置であって、
再生対象の動画に含まれる複数のシーンのそれぞれについて、少なくともシーンの代表フレームに関する情報、シーンの区間の情報、及びシーンの階層レベルの情報を含むシーン情報を記憶する記憶手段と、
外部からの階層レベルの指定に基づいて、上記記憶手段内の該当シーンの代表フレームの画像を時系列順に表示する表示手段と、
外部からの再生指示に基づいて、上記再生対象の動画に含まれる上記表示手段で表示される代表フレームの画像に対応したシーンを再生する再生手段と
を備えることを特徴とする画像処理装置。
【請求項２】  上記表示手段は、外部から階層レベルが指定されると、上記記憶手段内のシーン情報を参照し、当該指定された階層レベル以上の階層レベルを有するシーンの代表フレームの画像を時系列順に表示することを特徴とする請求項１に記載の画像処理装置。
【請求項３】  上記シーンの代表フレームの画像は、縮小画像を含むことを特徴とする請求項１に記載の画像処理装置。
【請求項４】  上記表示手段は、該当シーンの代表フレームの画像を表示する際、当該シーンの階層レベルを示す情報を付加して表示することを特徴とする請求項１に記載の画像処理装置。
【請求項５】  上記表示手段は、時系列順に表示した各シーンの代表フレームの画像において、現在再生されているシーンに対応する代表フレームを識別するための情報を表示することを特徴とする請求項１に記載の画像処理装置。
【請求項６】  上記表示手段は、時系列順に表示した各シーンの代表フレームの画像において、外部からの指示に基づいて、当該表示状態を変化させることを特徴とする請求項１に記載の画像処理装置。
【請求項７】  上記表示手段は、時系列順に表示した各シーンの代表フレームの画像において、現在再生されている動画のシーンに基づいて、当該表示状態を変化させることを特徴とする請求項１に記載の画像処理装置。
【請求項８】  上記表示手段は、外部からの指示に基づいて、上記表示状態を、現在再生されている動画のシーンと同期又は非同期させることを特徴とする請求項７に記載の画像処理装置。
【請求項９】  上記再生手段は、上記表示手段で表示された各シーンの代表フレームの画像の中から外部指定された代表フレームの画像に対応するシーンを再生することを特徴とする請求項１に記載の画像処理装置。
【請求項１０】  動画を再生処理する画像処理装置であって、
再生対象の動画に含まれる複数のシーンのそれぞれについて、少なくともシーンの代表フレームに関する情報及びシーンの階層レベルの情報を含むシーン情報を記憶する記憶手段と、
外部からの階層レベルの指定に基づいて、該当シーンの代表フレームの画像を時系列順に表示する表示手段と
を備えることを特徴とする画像処理装置。
【請求項１１】  動画を再生処理するための画像処理方法であって、
上記動画に関連付けられた少なくともシーンの代表フレームに関する情報、シーンの区間の情報及びシーンの階層レベルの情報を含むシーン情報を記憶する記憶ステップと、
任意の階層レベルを指定する指定ステップと、
上記指定ステップにより指定された階層レベルに基づいて、上記記憶ステップにより記憶された該当シーンの代表フレームの画像を時系列順に表示する表示ステップと、
上記表示ステップでの表示と同期して指定された階層レベルに基づいて、上記動画に含まれる該当シーンを再生する再生ステップと
を含むことを特徴とする画像処理方法。
【請求項１２】  動画を再生処理する画像処理方法であって、
再生対象の動画に含まれる複数のシーンのそれぞれについて、少なくともシーンの代表フレームに関する情報及びシーンの階層レベルの情報を含むシーン情報を記憶する記憶ステップと、
外部からの階層レベルの指定に基づいて、該当シーンの代表フレームの画像を時系列順に表示する表示ステップと
を含むことを特徴とする画像処理方法。
【請求項１３】  請求項１１または１２に記載の画像処理方法の処理ステップをコンピュータに実行させるためのプログラムを記録したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、動画を再生処理する画像処理装置、画像処理方法、及び、当該画像処理方法の処理ステップをコンピュータに実行させるためのプログラムを記録したコンピュータ読み取り可能な記憶媒体に関するものである。
【手続補正４】
【補正対象書類名】明細書
【補正対象項目名】０００４
【補正方法】変更
【補正の内容】
【０００４】
そこで、本発明は、上記の欠点を除去するために成されたもので、動画の再生を中断させることなく、その内容（シーン）の詳細を素早く確認できるように構成することで、効率的な視聴を可能とする、画像処理装置、画像処理方法、及び、コンピュータ読み取り可能な記憶媒体を提供することを目的とする。
【手続補正５】
【補正対象書類名】明細書
【補正対象項目名】０００５
【補正方法】変更
【補正の内容】
【０００５】
【課題を解決するための手段】
本発明の画像処理装置は、動画を再生処理する画像処理装置であって、再生対象の動画に含まれる複数のシーンのそれぞれについて、少なくともシーンの代表フレームに関する情報、シーンの区間の情報、及びシーンの階層レベルの情報を含むシーン情報を記憶する記憶手段と、外部からの階層レベルの指定に基づいて、上記記憶手段内の該当シーンの代表フレームの画像を時系列順に表示する表示手段と、外部からの再生指示に基づいて、上記再生対象の動画に含まれる上記表示手段で表示される代表フレームの画像に対応したシーンを再生する再生手段とを備えることを特徴とする。
【手続補正６】
【補正対象書類名】明細書
【補正対象項目名】０００６
【補正方法】変更
【補正の内容】
【０００６】
本発明の画像処理装置における他の態様は、動画を再生処理する画像処理装置であって、再生対象の動画に含まれる複数のシーンのそれぞれについて、少なくともシーンの代表フレームに関する情報及びシーンの階層レベルの情報を含むシーン情報を記憶する記憶手段と、外部からの階層レベルの指定に基づいて、該当シーンの代表フレームの画像を時系列順に表示する表示手段とを備えることを特徴とする。
【手続補正７】
【補正対象書類名】明細書
【補正対象項目名】０００７
【補正方法】変更
【補正の内容】
【０００７】
本発明の画像処理方法は、動画を再生処理するための画像処理方法であって、上記動画に関連付けられた少なくともシーンの代表フレームに関する情報、シーンの区間の情報及びシーンの階層レベルの情報を含むシーン情報を記憶する記憶ステップと、任意の階層レベルを指定する指定ステップと、上記指定ステップにより指定された階層レベルに基づいて、上記記憶ステップにより記憶された該当シーンの代表フレームの画像を時系列順に表示する表示ステップと、上記表示ステップでの表示と同期して指定された階層レベルに基づいて、上記動画に含まれる該当シーンを再生する再生ステップとを含むことを特徴とする。
【手続補正８】
【補正対象書類名】明細書
【補正対象項目名】０００８
【補正方法】変更
【補正の内容】
【０００８】
本発明の画像処理方法における他の態様は、動画を再生処理する画像処理方法であって、再生対象の動画に含まれる複数のシーンのそれぞれについて、少なくともシーンの代表フレームに関する情報及びシーンの階層レベルの情報を含むシーン情報を記憶する記憶ステップと、外部からの階層レベルの指定に基づいて、該当シーンの代表フレームの画像を時系列順に表示する表示ステップとを含むことを特徴とする。
【手続補正９】
【補正対象書類名】明細書
【補正対象項目名】０００９
【補正方法】変更
【補正の内容】
【０００９】
本発明のコンピュータ読み取り可能な記憶媒体は、画像処理方法の処理ステップをコンピュータに実行させるためのプログラムを記録したことを特徴とする。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】